(57)【要約】【課題】  意図しないタイミングで充填材が硬化することを防ぐために所定の波長の光を遮断又は減光して照射したときにも、術部が見えづらくならないようにした歯科用顕微鏡を提供する。【解決手段】  所定の波長の光を遮断又は減光するフィルタ３１と、そのフィルタを通して術部５０に光を照射する照明手段３０と、術部を撮像した画像の色調を補正する画像処理手段２５Ｌ，２５Ｒと、その画像処理手段によって補正された術部の画像を表示する表示手段２６Ｌ，２６Ｒと、を有し、前記画像処理手段は、前記フィルタによって遮断又は減光された波長の光を補うように画像の色調を補正することにする。【選択図】      図１
2013248098.tif 000002
【特許請求の範囲】
【請求項１】
所定の波長の光を遮断又は減光するフィルタと、
前記フィルタを通して術部に光を照射する照明手段と、
前記術部を撮像した画像の色調を補正する画像処理手段と、
前記画像処理手段によって補正された前記術部の画像を表示する表示手段と、を有し、
前記画像処理手段は、前記フィルタによって遮断又は減光された波長の光を補うように画像の色調を補正することを特徴とする歯科用顕微鏡。
【請求項２】
前記フィルタが遮断又は減光する光が、青色光であることを特徴とする請求項１に記載の歯科用顕微鏡。
【請求項３】
前記フィルタが、オレンジフィルタであることを特徴とする請求項１に記載の歯科用顕微鏡。
【請求項４】
前記画像処理手段は、画像のＲＧＢ値を変更することで、画像の色調を補正することを特徴とする請求項１から３のいずれかに記載の歯科用顕微鏡。
【発明の詳細な説明】
【技術分野】
【０００１】
本発明は、歯科の施術の際に使用される歯科用顕微鏡に関する。
【背景技術】
【０００２】
歯科の施術において、実体顕微鏡を使って術部を拡大観察しながら施術を行うことがある。このような施術に使用される顕微鏡は、近年カメラの性能が向上したことなどから、デジタル画像を表示するものが多くなっている。
【０００３】
双眼のデジタル顕微鏡は、一対の拡大観察光学系で得られる術部の像を撮像手段においてそれぞれ電子画像化し、一対の表示手段によってその画像を表示する。また、顕微鏡観察においては術部を明るくするために、顕微鏡の外側から術部を照射する側斜照明や、レンズの光軸と同じ方向から照射する同軸落射照明などが備えられている。
【０００４】
一方、歯科の施術において、う蝕部分を研削除去した箇所に充填材を詰める作業が行われる。このような充填材としては、従来は紫外線の照射により硬化するレジン樹脂が用いられていたが、近年、ＬＥＤの開発が進んだことから、青色光（波長４６０ｎｍから４８０ｎｍ程度）の照射によって硬化する光硬化樹脂を用いることが多くなっている。
【０００５】
このとき、照明の光源に白色ＬＥＤを使用すると、その照明により歯科医の意図しないタイミングで充填材が硬化することがあるため、光硬化性樹脂を使用しているときには、硬化する波長の光をフィルタ等で減じることができる歯科用照明装置がある（例えば、特許文献１）。
【０００６】
そうすると、顕微鏡に備えられた照明手段で術部を照射するときも同様に、歯科医の意に反するタイミングで充填材が硬化してしまうことが懸念される。したがって、顕微鏡に備えられた照明手段で術部に光を照射するときにも、フィルタを通すことで充填材が硬化する波長の光を遮断又は減光するべきである。
【先行技術文献】
【特許文献】
【０００７】
【特許文献１】特開２０１０−３３７４３号公報
【発明の概要】
【発明が解決しようとする課題】
【０００８】
しかし、光を照射するときに、フィルタを通して所定の波長の光を遮断又は減光すると、術部が見えづらくなるという弊害がある。
【０００９】
そこで、このような実情に鑑み、本発明は、所定の波長の光を遮断又は減光して照射したときにも、術部が見えづらくならないようにした歯科用顕微鏡を提供することを目的とする。
【課題を解決するための手段】
【００１０】
上記の目的を達成するために、本発明の歯科用顕微鏡は、所定の波長の光を遮断又は減光するフィルタと、そのフィルタを通して術部に光を照射する照明手段と、術部を撮像した画像の色調を補正する画像処理手段と、その画像処理手段によって補正された術部の画像を表示する表示手段と、を有し、前記画像処理手段は、前記フィルタによって遮断又は減光された波長の光を補うように画像の色調を補正することを特徴とするものである。
【００１１】
ここで、フィルタが遮断又は減光する光が青色光であったり、フィルタとしてオレンジフィルタを使用することにしてもよい。また、画像処理手段は、画像のＲＧＢ値を変更することで、画像の色調を補正することにしてもよい。
【発明の効果】
【００１２】
本発明の歯科用顕微鏡によれば、所定の波長の光を遮断又は減光することで、意図しないタイミングでの充填材の硬化を回避することができ、かつ、術部が見えづらくならないという効果を奏する。
【図面の簡単な説明】
【００１３】
【図１】本発明に係る歯科用顕微鏡の説明図である。
【発明を実施するための形態】
【００１４】
以下、本発明の実施の形態を、添付図面を参照して説明する。
【００１５】
図１は、本発明に係る歯科用顕微鏡の説明図である。歯科用顕微鏡１０は、術部５０に近い対物側の鏡体２１の内部は一対の拡大観察光学系２０Ｌ，２０Ｒになっており、対物レンズ２２、一対の結像レンズ２３Ｌ，２３Ｒ及び撮像手段としての一対のカメラ２４Ｌ，２４Ｒが、術部５０に近い方から順に設けられている。つまり、術部５０の像が対物レンズ２２から結像レンズ２３Ｌ，２３Ｒを通り、それぞれのカメラ２４Ｌ，２４Ｒで電子画像化される。
【００１６】
そして、カメラ２４Ｌ，２４Ｒで撮像された画像は、カメラ２４Ｌ，２４Ｒに電気的に接続された一対のモニタ２６Ｌ，２６Ｒに表示される。このとき、撮像された画像をそのまま表示することも可能であるし、また、カメラ２４Ｌ，２４Ｒとモニタ２６Ｌ，２６Ｒの間に設けられる画像処理手段２５Ｌ，２５Ｒを介して、補正された画像をモニタ２６Ｌ，２６Ｒに表示することも可能である。
【００１７】
モニタ２６Ｌ，２６Ｒは一対の接眼鏡筒２７Ｌ，２７Ｒの内部に搭載されており、歯科医が接眼鏡筒２７Ｌ，２７Ｒを覗くことで、それぞれのモニタ２６Ｌ，２６Ｒを左右の眼球４０Ｌ，４０Ｒが各々観察し、術部５０の像を立体視できる構成になっている。
【００１８】
術部５０には照明手段３０から光Ｌが照射されている。図１では、照明手段３０として１台の側斜照明を例示しているが、当然２台以上設けてもよい。また、照明手段３０の設置位置は顕微鏡の内部でもよく、側斜照明に限らず、同軸落射照明であってもよい。なお、照明手段３０は、ハロゲンランプや蛍光ランプでもよいが、発熱量が小さく、長寿命であり、また消費電力が小さいという利点があることから、白色ＬＥＤを使用するのがよい。
【００１９】
ここで、術部５０に充填材５１が詰められているときには、歯科医が意図しないタイミングで充填材５１が硬化するのを回避する必要がある。そこで、光Ｌをフィルタ３１を通して照射することで、術部５０には充填材５１が硬化する所定の波長の光を遮断又は減光した光Ｌｂを照射することができる。なお、青色光を除去したいときには、フィルタ３１としてオレンジフィルタを用いれば、およそ５６０ｎｍ以下の波長をカットすることができる。
【００２０】
充填材５１を詰めていないときには、フィルタ３１を通して照射する必要はないことから、画像処理手段２５Ｌ，２５Ｒによる画像の補正も特に必要ない。しかし、充填材５１を詰めているときには、フィルタ３１を通した光Ｌｂを照射することになり、このとき所定の波長の光を除いていることから、カメラ２４Ｌ，２４Ｒに撮像される画像もフィルタ３１を通した色に写って、術部５０が見えづらくなることがある。そこで、画像処理手段２５Ｌ，２５Ｒを利用して、カメラ２４Ｌ，２４Ｒに撮像された画像を見えやすく補正して表示するものとする。
【００２１】
本発明の歯科用顕微鏡１０はデジタル顕微鏡なので、カメラ２４Ｌ，２４Ｒが撮像する画像はデジタルデータであることから、モニタ２６Ｌ，２６Ｒに表示する画像の補正は、画像処理ソフト等を用いれば容易に行うことができる。そこで、フィルタ３１を通した光Ｌｂを照射した対象物を、画像の色調を補正することで、自然光の下で観察しているように表示させることも可能である。つまり、遮断又は減光した波長の光を色調の補正により強くして表示すればよい。
【００２２】
ここで、色調の補正は、ＲＧＢ値を変更することで行うことができる。この場合に、どの程度の補正が必要かは、歯科用顕微鏡１０を使用する場所や部屋の明るさなどによって変化するため、個別に対応する必要がある。ただし、毎回ほとんど同じ条件で使用するのであれば、一度補正したＲＧＢ値を記憶させておけば、次回以降の補正を容易に行うことが可能になる。
【００２３】
以上のように、充填材を硬化させるような所定の波長の光を遮断又は減光することで、意図しないタイミングでの充填材の硬化を回避することが可能となり、かつ、歯科医が顕微鏡を通して術部を観察しても、術部が見えづらくならないという効果が得られる。
【符号の説明】
【００２４】
１０                    歯科用顕微鏡
２０Ｌ，２０Ｒ          拡大観察光学系
２１                    鏡体
２２                    対物レンズ
２３Ｌ，２３Ｒ          結像レンズ
２４Ｌ，２４Ｒ          カメラ
２５Ｌ，２５Ｒ          画像処理手段
２６Ｌ，２６Ｒ          モニタ
２７Ｌ，２７Ｒ          接眼鏡筒
３０                    照明手段
３１                    フィルタ
４０Ｌ，４０Ｒ          眼球
５０                    術部
５１                    充填材
【図１】
2013248098.tif 000003